(57)【要約】【課題】パチンコ遊技機の窓扉の構造を改善する。【解決手段】板状構造体２７は樹脂板２６と周縁部２３とが一体成形されているので製造工程が単純化され製造効率も向上する。遊技者に対面する樹脂板２６を合成樹脂製としたので、これをドーム状にしたり重要部分に対面する中央部を平板状にして周囲をテーパ状にするなど、パチンコ遊技機１０の枠体の多様なデザインと釣り合わせたさまざまなデザインが可能になる。樹脂板２６であるから、簡単には破損しない強度の合成樹脂材料を使用して破損を防止できる。たとえ割られても危険な破片が飛び散らず安全性が高い。【選択図】　図２
2004033240.tif 000002
【特許請求の範囲】
【請求項１】
パチンコ遊技機の本体に軸支されて扉状に開閉可能で、閉鎖状態において該パチンコ遊技機の遊技盤を臨ませるための窓を有する窓扉であって、
前記窓を閉鎖する表側透明板と窓枠部分とが一体成形された合成樹脂製の板状構造体を備えることを特徴とするパチンコ遊技機の窓扉。
【請求項２】
請求項１記載のパチンコ遊技機の窓扉において、
該窓扉は、前記表側透明板の背後側にて前記窓を閉鎖する状態で配されて前記窓扉の閉鎖時には前記遊技盤と対面して自身と前記遊技盤との間に遊技領域となる空間を形成する裏側透明板を支持することを特徴とするパチンコ遊技機の窓扉。
【請求項３】
請求項１又は２記載のパチンコ遊技機の窓扉において、
前記板状構造体の横幅、高さは該窓扉の横幅、高さとそれぞれ整合することを特徴とするパチンコ遊技機の窓扉。
【請求項４】
請求項１から３のいずれか記載のパチンコ遊技機の窓扉において、
前記板状構造体の前記窓枠部分の背面側に背後部材が接合されていることを特徴とするパチンコ遊技機の窓扉。
【請求項５】
請求項１から４のいずれか記載のパチンコ遊技機の窓扉において、
前記板状構造体には装飾部材が取り付けられていることを特徴とするパチンコ遊技機の窓扉。
【請求項６】
請求項１から５のいずれか記載のパチンコ遊技機の窓扉において、
前記裏側透明板は前記窓扉に接着されていることを特徴とするパチンコ遊技機の窓扉。
【請求項７】
請求項１から６のいずれか記載のパチンコ遊技機の窓扉において、
前記裏側透明板はガラス板であることを特徴とするパチンコ遊技機の窓扉。
【発明の詳細な説明】
【０００１】
【発明の属する技術分野】
本発明は、パチンコ遊技機の技術分野に属する。
【０００２】
【従来の技術】
パチンコ遊技機においては、遊技盤の前方にガラス板が配されて、そのガラス板と遊技盤との間に遊技領域となる空間が形成される。遊技領域には入賞装置や遊技釘、風車等が配置され、発射装置にて発射されて遊技領域に撃ち込まれた遊技球の挙動によって遊技が行われ、入賞等が成立すれば遊技球（賞球）が払い出されるのが普通である。
【０００３】
従って、遊技の実行だけならガラス板は１枚だけでよいのだが、主に不正行為に対する耐性を高めるために、さらにもう１枚のガラス板を遊技者側に配していた。また、ガラス板を２重にすることで騒音を抑制する効果もある。普通、これら２枚のガラス板はガラスレールに保持されて、扉状の前枠に装着されていた。
【０００４】
【発明が解決しようとする課題】
しかしながら、２枚のガラス板をガラスレール等を介在させて前枠に装着する構造は複雑であり、その分部品点数が増えたり組み立て工程が複雑化する等の問題があった。
【０００５】
また、近年ではパチンコ遊技機の枠体の多くがプラスチック製にされていてさまざまなデザインが可能になっているのに、平坦なガラス板が枠体のデザインと釣り合わないこともあった。
【０００６】
【課題を解決するための手段及び発明の効果】
請求項１記載のパチンコ遊技機の窓扉は、パチンコ遊技機の本体に軸支されて扉状に開閉可能で、閉鎖状態において該パチンコ遊技機の遊技盤を臨ませるための窓を有する窓扉であって、前記窓を閉鎖する表側透明板と窓枠部分とが一体成形された合成樹脂製の板状構造体を備えることを特徴とする。
【０００７】
この窓扉は、遊技盤を臨ませるための窓を閉鎖する表側透明板とその窓枠部分とが一体成形された合成樹脂製の板状構造体を備えている。すなわち、遊技盤の前方に配される２枚の透明板の内の表側（遊技者側）になる透明板は、板状構造体の一体不可分の一部になっており、また窓扉の不可分の一部でもある。
【０００８】
したがって、表側透明板については、これを窓扉に装着するためのガラスレールのような構造は必要なく、その分部品点数が減り、構成も単純化され、組み立て工程も単純化できる。
また、遊技者に対面する表側透明板を合成樹脂製としたので、これを例えば遊技者側に膨らんだドーム状にしたり例えば図柄表示装置等の重要部分に対面する中央部を平板状にして周囲をテーパ状にするなど、パチンコ遊技機の枠体の多様なデザインと釣り合わせたさまざまなデザインが可能になる。また、表側透明板の外形すなわち窓の形状も従来の四角形や円形に限らず、さまざまな形状にできるから、この点でもパチンコ遊技機の枠体の多様なデザインと釣り合わせたさまざまなデザインが可能になる。
【０００９】
しかも、表側透明板が合成樹脂製であるから、例えば遊技者に叩かれた程度では破損しないような強度の合成樹脂材料を使用して破損を防止できる。また、たとえ割られても危険な破片が飛び散るおそれはないから、安全性が高い。このような高強度の樹脂材料で入手しやすいものにポリカーボネートがある。
【００１０】
板状構造体は、射出成形、射出圧縮成形等の公知の成形技術によって製造できる。
表側透明板を透明にする必要上、射出成形等で使用する樹脂原料も透明なものが使われる。すると、なにも手立てしなければ窓枠部分も透明になってしまうが、例えばインモールド成形等を用いて射出成形時に表面に着色したり、成形後に塗装すれば、窓枠部分を不透明にできる。なお、透明のままでもパチンコ遊技機の機能を損なうわけではないので、例えばデザイン上の効果を狙って、一部（表側透明板以外の部分で）を透明のままにしてもよい。
【００１１】
板状構造体の一部となる表側透明板は合成樹脂製であるから、従来のガラス板よりも軽量化される。したがって、板状構造体としての重量もあまり大きくはならず取り扱いは容易である。
また、板状構造体は、従来は開口になっていた窓部分が表側透明板にて閉じられた板状の部材であるから、従来の窓穴を有する構造と比べれば剛性がきわめて高く強度的にも優れている。
【００１２】
したがって、請求項３に記載のように、板状構造体の横幅及び高さを窓扉の横幅、高さとそれぞれ整合させれば、これにパチンコ遊技機の本体に軸支するためのヒンジ軸又はヒンジ軸受を設けて、また閉鎖状態にてロックするための金具等も取り付けて、板状構造体をそのままで窓扉にできる。
【００１３】
ただし、請求項４記載の構成とすることもあるので、板状構造体の横幅及び高さを窓扉の横幅、高さとそれぞれ整合させるといっても、数学的に等しくすることまでを要さず、例えば背後部材を板状構造体の外側にはみ出させて、そのはみ出し分までが窓扉の横幅又は高さと等しくなる場合や、板状構造体の外周を縁取る部材等を備えて、その縁取りまでが窓扉の横幅又は高さと等しくなる場合も許容される。
【００１４】
なお、窓扉の横幅はパチンコ遊技機の横幅とほぼ等しく、高さはパチンコ遊技機の上皿（上皿扉）よりも上側部分の高さとほぼ等しくするとよい。このような寸法にすれば、上皿（上皿扉）よりも上側部分のほぼ全域を窓扉で覆い（閉鎖時）、また露出させる（開放時）ことができる。
【００１５】
板状構造体だけでは窓扉として強度不足になりそうなときには、また前後２部分に分けた方が射出成形等を行い易い場合には、請求項４記載の構成を採用すればよい。
請求項４記載のパチンコ遊技機の窓扉は、請求項１から３のいずれか記載のパチンコ遊技機の窓扉において、前記板状構造体の前記窓枠部分の背面側に背後部材が接合されていることを特徴とするので、強度不足に対処できるし、射出成形等も行い易くなる。
【００１６】
板状構造体には、請求項５に記載のように、装飾部材を取り付けることができる。装飾部材としては、ＬＥＤや電球のカバー部材（いわゆるレンズ）、スピーカーカバー、シール類が例示される。
窓扉は、請求項２に記載のように、表側透明板の背後側にて窓を閉鎖する状態で配されて窓扉の閉鎖時には遊技盤と対面して自身と遊技盤との間に遊技領域となる空間を形成する裏側透明板を支持する構成が望ましい。
【００１７】
その場合、従来のガラスレールのような部材を介して裏側透明板を支持する構成としてもよいが、それでは構造の単純化の点で効果が薄い。
この点については、請求項６に記載のように、裏側透明板を窓扉に接着する構造にして例えばガラスレールやボルト等の連結用の部材を不要にすれば、構造がより単純化されるし、連結用の穴や爪等を設ける必要がなくなり、窓扉の構造が複雑化しない。また、穴等を設けることは強度低下になるが、これも回避できる。
【００１８】
ただし、接着してしまうと裏側透明板のみの交換ができなくなるので、この点だけならガラスレールのような部材を用いる方がよいと言える。しかし、常時は内側になっている裏側透明板であるから、これが破損する可能性はきわめて小さいと言えるので、請求項６の構成で差し支えない。
【００１９】
しかも、裏側透明板を接着することで、表裏の透明板で挟まれる空間を密封すれば、この空間にほこりやたばこの煙等が入り込んで内面を汚すのを防止できる。
裏側透明板は表側透明板と同様に合成樹脂製としてもよいが、請求項７に記載のように、これをガラス板にすれば、遊技領域を流下する遊技球の衝突圧などによってたわむおそれがない。裏側透明板がたわむと遊技球がこの透明板と釘との間に噛み込んで落下できなくなるおそれがあるが、ガラス板であるとそのような不具合が発生するおそれがない。
【００２０】
また、ガラス板は遊技球との接触によって傷つくおそれはないし、遊技球との接触に伴って静電気が発生したり蓄積されにくいから、静電気によって吸着されたほこり等で汚れる心配もない。
なお、表側透明板は遊技者に対面するので、例えば硬貨のようなもので擦られるおそれがある。これに対しては、例えばメラミン樹脂やシリコン樹脂による耐擦傷性のコーティングを施すことで、硬貨のようなもので擦られても傷が付かない程度に表面を強化できる。
【００２１】
【発明の実施の形態】
次に、本発明の実施例により発明の実施の形態を説明する。
【００２２】
【実施例】
図１に示すように、パチンコ遊技機１０は正面から見た形状が長方形の外枠１２を備えている。外枠１２は公知のパチンコ遊技機のものと同様であり、その内側に各種の機構を収容している。それらの機構もまた公知のパチンコ遊技機のものと同様であるので、図示と説明は省略する。
【００２３】
外枠１２には、上下のヒンジ１３を介して中枠１４が取り付けられている。中枠１４はヒンジ１３を軸として扉状に開閉可能であるが、通常は図示するように閉じられている。
その中枠１４の前面側の上半部には、遊技盤（図示は省略）を臨ませる窓２２を有する窓扉１５が、軸支手段であるヒンジ１６ａ、１６ｂを介して扉状に開閉可能に取り付けられ、その下方にては上皿１７ａを備える上皿扉１７がヒンジ１６ｂ、１６ｃを介して扉状に開閉可能に取り付けられている。これらも通常は図示するように中枠１４の前面側に閉じられている。
【００２４】
さらに、上皿扉１７の下方にては下皿１８及び灰皿１９が、下皿パネル２０を介して中枠１４の前面側に取り付けられている。下皿パネル２０は中枠１４に固着（一体化）されている。また、下皿１８の右側には発射ハンドル２１が取り付けられている。
【００２５】
これら上皿扉１７（上皿１７ａ）、下皿１８、灰皿１９及び発射ハンドル２１は、デザイン的な差異を除けば公知のパチンコ遊技機に装備されているものと変わるところはない。
窓扉１５に設けられた円形の窓２２のサイズは遊技盤（図示は省略）に形成された遊技領域（ガイドレール等で区画されるほぼ円形の領域で、この領域に入賞装置等が配置されている。）とほぼ等しく、図１に示す状態のときには、中枠１４によって保持されている遊技盤の遊技領域とほぼ重なる位置に設けられている。
【００２６】
この窓２２は表側透明板に該当する樹脂板２６によって閉鎖されているが、樹脂板２６と窓枠部分となる周縁部２３とは一連、一体の部材で、それぞれ板状構造体２７の一部である。ただし、周縁部２３の表面には装飾用の模様等の着色層２３ａが設けられており、周縁部２３は不透明である。また、周縁部２３には電飾のレンズ３１、３２（装飾部材）が装着されており、それらの背後には発光源となるＬＥＤや電球等が配されている。
【００２７】
窓扉１５の横幅は、パチンコ遊技機１０の横幅とほぼ等しく、高さはパチンコ遊技機１０の上皿扉１７よりも上側部分の高さとほぼ等しく、図１に示すように窓扉１５を閉じた状態では上皿扉１７よりも上側部分のほぼ全域を覆うが、窓扉１５を開ければその部分の全域がほぼ露出する。
【００２８】
中枠１４の前面には錠機構３３が設けられており、窓扉１５は通常はロックされていて開放できない。しかし。錠機構３３を図示しない鍵にて操作して解錠すれば、窓扉１５を開放できる。また、窓扉１５を開放すると上皿扉１７も開放可能になる。
【００２９】
次に図２を参照して窓扉１５の構造を説明する。
図２（ａ）に示すように、周縁部２３及び樹脂板２６は一連、一体で板状構造体２７を構成しており、樹脂板２６の背後には周縁部２３によって囲まれた窓２２が設けられている。また、周縁部２３の表面には前述の着色層２３ａが設けられており、レンズ３１、３２（レンズ３１は図２には示されない。）の背後には、発光源を収容するための空間３２ａが確保されている。
【００３０】
窓２２の後端部には段差状の嵌合部２５が設けられ、裏側透明板に該当するガラス板２９がここに嵌合されて密着状に接着されている。このため、樹脂板２６とガラス板２９とで挟まれた内部空間３４は密封状態となっている。なお、樹脂板２６及びガラス板２９は共に平板状で互いに平行に配されている。
【００３１】
窓２２の背後側を閉じているガラス板２９は、図１に示す状態のときに遊技盤とほぼ平行（間隔は約２０ｍｍ）となってその前面側を覆い、遊技盤から窓扉１５側への遊技球の飛び出しを防止する。つまり、遊技領域の前後方向寸法（奥行き）を規定する。
【００３２】
板状構造体２７は、透明なポリカーボネートの射出成形により一体成形されている。その射出成形に際して、着色層２３ａに対応する印刷が施された合成樹脂フィルムをインモールドすることで、その印刷部分を成形樹脂（ここでは周縁部２３）に転写して着色層２３ａを形成している。
【００３３】
なお、樹脂板２６に歪みが生じて光学的な性能が低下する場合には、射出圧縮成形を採用すればよい。射出圧縮成形であると成形圧が全体でほぼ均等になり、歪みが低減され、また反りやヒケもなく寸法精度が良好である。特に、樹脂板２６の光学的な性状がその全面でほぼ均質になるので遊技領域の視認性が悪化するおそれはない。
【００３４】
また、成形後に樹脂板２６の表面（遊技者に対面する面）にはメラミン樹脂の耐擦傷性のコーティングを施している。このため、遊技者のいたずら等で樹脂板２６が傷付けられる心配はない。
しかも、樹脂板２６がポリカーボネート製であるから、例えば遊技者に叩かれた程度では破損しない。また、たとえ割られても危険な破片が飛び散るおそれはないから、安全性が高い。
【００３５】
この窓扉１５では、樹脂板２６が窓扉１５の一体不可分の一部になっているので、樹脂板２６を窓扉１５に装着するためのガラスレールのような構造は必要なく、その分部品点数が減り、構成も単純化され、組み立て工程も単純化できる。周縁部２３と樹脂板２６とが一連であるので、窓２２と樹脂板２６との間に隙間が無く、薄板や針金等を差し込んでの不正行為を確実に防止できる。
【００３６】
板状構造体２７が合成樹脂製であるから樹脂板２６（窓２２）の外周形状を自在にできる。よってデザイン性はきわめて優れている。
しかも、板状構造体２７は射出成形などの成形方法で製造できるから、きわめて簡単にさまざまな形状に成形でき、そのコストも低い。
【００３７】
樹脂板２６も含んだ板状構造体２７は合成樹脂製であるから、板状構造体２７としての重量もあまり大きくはならず取り扱いは容易である。
また、板状構造体２７は、従来は単に開口されていた窓２２部分が周縁部２３と一連の樹脂板２６にて閉じられた板状の部材であるから、従来の窓穴を有する構造と比べれば剛性がきわめて高く強度的にも優れている。
【００３８】
したがって、板状構造体２７にパチンコ遊技機の本体に軸支するためのヒンジ１６ａ、１６ｂのヒンジ軸又はヒンジ軸受を設けて、また錠機構３３にて閉鎖状態にてロックするための金具等も取り付けて、板状構造体２７をそのままで窓扉１５にできる（板状構造体２７の外形寸法と窓扉１５の外形寸法とは、ほぼ一致している）。
【００３９】
裏側透明板をガラス板２９にしているので、遊技領域を流下する遊技球の衝突圧などによってたわむおそれがなく、たわんだ際に遊技球がガラス板２９と釘との間に噛み込んで落下できなくなるような不具合が発生するおそれがない。
また、ガラス板２９は遊技球との接触によって傷つくおそれはないし、遊技球との接触に伴って静電気が発生したり蓄積されにくいから、静電気によって吸着されたほこり等で汚れる心配もない。
【００４０】
しかも、ガラス板２９を接着することで、樹脂板２６とガラス板２９とで挟まれた内部空間３４を密封状態にしているので、この内部空間３４にほこりやたばこの煙等が入り込んで内面を汚すのを確実に防止できる。
ガラス板２９を窓扉１５に接着する構造にしているので、例えばガラスレールやボルト等の連結用の部材が不要になり、構造がより単純化される。そうした連結用の穴や爪等を設ける必要がないから、窓扉１５の構造が複雑化しないし、穴等を設けることで強度が低下するのも回避できる。
【００４１】
図２（ｂ）は窓扉１５を前後２層構造にした例である。
図２（ａ）に示した単層構造であると射出成形を行いにくい場合がある。そのような場合は複層構造とすればよい。また、図２（ａ）の例は窓扉１５としての強度は十分であるが、かりに板状構造体だけでは強度不足になりそうな場合には板状構造体に背後部材を接合して（複層構造を採用して）強度を高めればよい。
【００４２】
図２（ｂ）に示すように、この窓扉１５においては、板状構造体２７の背後に強度部材２７ａ（背後部材に該当）を接着した２層構造を採用している。
板状構造体２７は図２（ａ）の場合と同様にインモールドの射出成形で製造されている。強度部材２７ａは通常の射出成形で製造されている。強度部材２７ａの材質は板状構造体２７と同じでもよいし、板状構造体２７とは異ならせてもよい。例えば板状構造体２７よりも低価格の合成樹脂を使用すれば低コストになる。また、強度部材２７ａは板状構造体２７（周縁部２３）の背後に隠れるので、いわゆる再生プラスチックを使用することもできる。この場合は資源のリサイクル面で優れている
。
【００４３】
板状構造体２７に強度部材２７ａを接着した構造は図２（ａ）に示した板状構造体２７と同様であり、図２（ａ）で説明した窓扉１５と同様の効果を有する。また、前後２部分に分けているので金型の構造を単純化でき射出成形等を行い易く、強度部材２７ａの原料樹脂に板状構造体２７よりも低価格の合成樹脂を使用すれば低コストになる。或いは、板状構造体２７だけでは強度不足となる場合でも、強度部材２７ａによって窓扉１５として十分な強度にできる。
［立体形状の例］
樹脂板２６及び周縁部２３は透明なプラスチックで一体成形されるので、樹脂板２６は、図３に例示するように中心部が遊技者側に膨らんだドーム状の曲面体にできる。このように遊技者側に凸のドーム状とした場合には、遊技者に立体感を感じさせ、樹脂板２６がレンズ的に作用するので遊技領域を広く感じさせる。
【００４４】
また、図示は省略するがその他の立体形状にもできるし、樹脂板２６（窓２２）の外周形状も様々にできるから、パチンコ遊技機の枠体の多様なデザインと釣り合わせたさまざまなデザインが可能になる。
なお、図３の窓扉１５は２層構造であるが、図２（ａ）に示した単層構造においてもドーム状等の立体形状にできることはいうまでもない。
【００４５】
以上、実施例及び変形例にしたがって本発明の実施の形態を説明したが、本発明はこれらの例に限定されるものではない。
【図面の簡単な説明】
【図１】実施例のパチンコ遊技機の正面図。
【図２】実施例の窓扉の図１におけるＡＡ−ＡＡ断面図であり、図２（ａ）は単層構造、図２（ｂ）は２層構造の例である。
【図３】樹脂板をドーム状にした窓扉の縦断面図。
【符号の説明】
１０　　　　パチンコ遊技機
１２　　　　外枠
１４　　　　中枠
１５　　　　窓扉
１６ａ、１６ｂ　　ヒンジ
１７　　　　上皿扉
１７ａ　　上皿
２２　　　　窓
２３　　　　周縁部（窓枠部分）
２３ａ　　着色層
２５　　　　嵌合部
２６　　　　樹脂板（表側透明板）
２７　　　　板状構造体
２７ａ　　強度部材（背後部材）
２９　　　　ガラス板（裏側透明板）
３１、３２　　　　　　レンズ（装飾部材）
【図１】
2004033240.tif 000003
【図２】
2004033240.tif 000004
【図３】
2004033240.tif 000005